(57)【要約】【課題】光コネクタをコネクタハウジングに挿入した状態で、当該光コネクタの接合端面を容易かつ確実に清掃できる光コネクタ清掃工具を提供する。【解決手段】工具本体１０と、この工具本体１０から突出して設けられ、前記コネクタハウジングに挿入可能に形成されている挿入部２０とを備え、前記挿入部２０をコネクタハウジングに挿入することにより、前記挿入部２０の前記工具本体１０からの突出先端に位置させておかれた清掃部材２を前記接合端面に対して位置決めして当接させることができるようになっている光コネクタ清掃工具１を提供する。これにより、清掃部材２をコネクタハウジングに挿入して接合端面に当接させることや、清掃部材２を運動させて接合端面を拭き取り清掃する際に、接合端面に対する当接位置を維持することなどが容易に行えるようになる。【選択図】  図３
2004151401.tif 000002
【特許請求の範囲】
【請求項１】
コネクタハウジング（５０、７０、９０）内の光コネクタ（４０、６０、９２）の接合端面（４１ａ、６１ａ、９２ａ）を、清掃部材（２）の運動により拭き取り清掃する光コネクタ清掃工具であって、
工具本体（１０）と、この工具本体から突出して設けられ、前記コネクタハウジングに挿入可能に形成されている挿入部（２０）とを備え、
前記挿入部をコネクタハウジングに挿入することにより、前記挿入部の前記工具本体からの突出先端に位置させておかれた清掃部材を、前記接合端面に対して位置決めして当接させることができるようになっていることを特徴とする光コネクタ清掃工具（１、１Ｂ、１Ｃ）。
【請求項２】
前記清掃部材はテープであり、
前記工具本体には、前記テープを巻装した供給リール（３０）と、使用後のテープを巻き取って回収する巻取リール（３１）とが回転可能に装着されており、前記挿入部には、先端に前記接合端面に対する当接面積を確保するための当接面（２４）を有し、この当接面に沿って前記供給リールから供給されたテープが巻き回されるようになっているヘッド部材（２３）が設けられていることを特徴とする請求項１に記載の光コネクタ清掃工具。
【請求項３】
前記ヘッド部材は、前記当接面の前記挿入部の挿入方向に対する向きが変えられるようになっていることを特徴とする請求項１に記載の光コネクタ清掃工具。
【請求項４】
前記挿入部は、前記コネクタハウジングに挿入された際に、前記接合端面から突出する突出部材（４５）との干渉を避けるための凹部（２２）を有することを特徴とする請求項１〜３のいずれかに記載の光コネクタ清掃工具。
【発明の詳細な説明】
【０００１】
【発明の属する技術分野】
本発明は、コネクタハウジング内の光コネクタの接合端面を清掃する光コネクタ清掃工具に関する。
【０００２】
【従来の技術】
周知のように、プラグ−アダプタ−プラグ結合方式の光コネクタは、アダプタとなるコネクタハウジングに、対向する両側から挿入、接続された光コネクタ（プラグ）同士が、該アダプタ内で接続されるものである。
また、プラグ−レセプタクル結合方式の光コネクタは、レセプタクルとなる光コネクタハウジング内に、接続される一方の光コネクタ（フェルールなど）が保持されており、これに対向して前記レセプタクルに光コネクタ（プラグ）が挿入されて接続されるものである。
アダプタやレセプタクルなどのコネクタハウジング内での光コネクタ同士の接続は、各光コネクタの接合端面に臨む光ファイバの端面同士を突き合わせ接合することで実現される。
【０００３】
コネクタハウジングに光コネクタを挿入して突き合わせ接続する際、光コネクタの接合端面にゴミや埃、油分などの汚れが付着していると、着脱時の損傷や、伝送損失の増大などの原因になるため、突き合わせ接続に先立って、接合端面を清掃する必要がある。従来、この接合端面の清掃は、アルコールを含浸させた綿棒やテープタイプのクリーナーなどの清掃具を用い、この清掃具を直接手で把持して、清掃具を光コネクタの接合端面に当接させて拭き取り清掃することが一般的である（例えば特許文献１参照）。
【０００４】
【特許文献１】
特開２０００−２８４１４７号公報
【０００５】
【発明が解決しようとする課題】
ところで、上述のような清掃具では、コネクタハウジング内の光コネクタの接合端面を清掃するためには、他方の光コネクタを挿入するためのコネクタハウジング内の空間（コネクタ挿入穴）に清掃具を挿入して、当該接合端面を清掃することになる。清掃箇所である光コネクタの接合端面はコネクタ挿入穴の奥に位置し、非常に見づらいことから、清掃具が接合端面に対して確実に当接しているか否かや、さらには清掃の進捗状況などが確認しづらく、清掃が必ずしも良好になされないおそれがあった。
【０００６】
また、作業時に清掃具をコネクタハウジングの内壁などに触れさせてしまうと、清掃具が汚れてしまい、これを接合端面に当接させると、かえって汚れの付着や接合端面の損傷などのおそれがあることから、清掃具の挿入は慎重に注意深く行う必要があり、作業が面倒であった。
【０００７】
一方、清掃すべき光コネクタをコネクタハウジングから抜去すれば、接合端面は見やすくなり、また、この接合端面に清掃工具を当接させることは容易になるが、清掃後、光コネクタをコネクタハウジングに挿入する作業は、光コネクタにゴミや埃などが再び付着しないように、慎重に行う必要があり、この光コネクタの着脱に要する手間と合わせて、作業が著しく煩雑になるため、問題となっていた。
【０００８】
従って、本発明の課題は、光コネクタをコネクタハウジングに挿入した状態で、当該光コネクタの接合端面を容易かつ確実に清掃することができる光コネクタ清掃工具を提供することを課題とする。
【０００９】
【課題を解決するための手段】
前記課題を解決するため、本発明は、コネクタハウジング内の光コネクタの接合端面を、清掃部材の運動により拭き取り清掃する光コネクタ清掃工具であって、工具本体と、この工具本体から突出して設けられ、前記コネクタハウジングに挿入可能に形成されている挿入部とを備え、前記挿入部をコネクタハウジングに挿入することにより、前記挿入部の前記工具本体からの突出先端に位置させておかれた清掃部材を、前記接合端面に対して位置決めして当接させることができるようになっていることを特徴とする光コネクタ清掃工具を提供する。
このような光コネクタ清掃工具によれば、挿入部により前記清掃部材がコネクタハウジングの内壁に接触することが防止されるので、清掃部材の汚染を抑制することができる。しかも、挿入部をコネクタハウジングに挿入するだけで、清掃部材を当該コネクタハウジング内の光コネクタの接合端面に正しく当接することができるから、作業性がよく、光コネクタの接合端面の良好な清掃状態を容易かつ確実に得ることができる。
【００１０】
さらに本発明は、前記清掃部材はテープであり、前記工具本体には、前記テープを巻装した供給リールと、使用後のテープを巻き取って回収する巻取リールとが回転可能に装着されており、前記挿入部には、先端に前記接合端面に対する当接面積を確保するための当接面を有し、この当接面に沿って前記供給リールから供給されたテープが巻き回されるようになっているヘッド部材が設けられていることを特徴とする光コネクタ清掃工具を提供する。
このような光コネクタ清掃工具によれば、未使用のテープを供給リールからヘッド部材に順次供給するとともに、光コネクタの接合端面に当接されて使用済みとなったテープを巻取リールによって順次回収することができるから、前記接合端面に対して当接される部位の清掃部材を常に清浄に保つことができ、効率よく作業を行うことができる。
【００１１】
さらに、前記ヘッド部材が、前記当接面の前記挿入部の挿入方向に対する向きが変えられるようになっていれば、光コネクタの接合端面の向きが挿入部の挿入方向からずれていても、ヘッド部材の当接面の向きを光コネクタの接合端面の向きに合わせることができるので、清掃の能率が向上する。
【００１２】
前記挿入部は、前記コネクタハウジングに挿入された際に、前記接合端面から突出する突出部材（例えば後述するＭＰＯ形光コネクタにおけるガイドピン）との干渉を避けるための凹部を有することが好ましい。これにより、光コネクタの接合端面に突出部材があっても、接合端面に清掃部材を当接させて清掃することができる。
【００１３】
【発明の実施の形態】
以下、実施の形態に基づいて、本発明を詳しく説明する。
図１は、本実施の形態の光コネクタ清掃工具（以下、清掃工具という）を示す（ａ）斜視図および（ｂ）側面図であり、図２は、この清掃工具の工具本体を半割にした状態を示す斜視図である。
図３は、この清掃工具の挿入部が、光コネクタが収納されたコネクタハウジングのコネクタ挿入穴に挿入される状態を示す分解斜視図、図４は、挿入部がコネクタ挿入穴に挿入された状態を示す斜視図、図５は、挿入部がコネクタ挿入穴に挿入された状態を示す断面図である。
図６は、清掃工具の先端付近を示す（ａ）縦断面図および（ｂ）横断面図である。図７は、光コネクタの接合端面を示す正面図である。
【００１４】
図３〜７に示すように、本実施の形態の清掃工具１が適用される光コネクタ４０（プラグ）およびコネクタハウジング５０（アダプタ）は、ＪＩＳ  Ｃ  ５９８２等に規定されるＭＰＯ形光コネクタ（ＭＰＯ：Ｍｕｌｔｉｆｉｂｅｒ  Ｐｕｓｈ  Ｏｎ）である。
【００１５】
光コネクタ４０は、ＪＩＳ  Ｃ  ５９８１等に規定されるＭＴ形光コネクタフェルール４１（ＭＴ：Ｍｅｃｈａｎｉｃａｌｌｙ  Ｔｒａｎｓｆｅｒａｂｌｅ。以下、単にフェルールという）をプラスチック製でスリーブ状のハウジング４２の先端部に収容した構成の光コネクタプラグであり、全体が外観扁平な断面形状に形成されている。
以下の説明では、この光コネクタ４０の扁平形状の短辺側に対応する方向（図７の上下方向）を厚さ方向、長辺側に対応する方向を幅方向（図７の左右方向）ということがある。また、光コネクタ４０の厚さ方向および幅方向に対応して、この光コネクタ４０と接続されるコネクタハウジング５０ならびにコネクタハウジング５０に挿入される清掃工具１の挿入部２０についても同様に、厚さ方向および幅方向ということがある。
【００１６】
フェルール４１の接合端面４１ａには、所定の個数の光ファイバ穴４１ｂが配列されるように開口している。光ファイバ４３は、その先端を光ファイバ穴４１ｂに挿通することにより、他の光コネクタと突き合わせ接続可能に成端されるとともに、光コネクタ４０の内部を貫通して光コネクタ４０後端から引き出されている。
光コネクタ４０後端から引き出された光ファイバ４３は、ハウジング４２の接続方向後端側に設けられたブーツ４４に収納されることにより、光コネクタ４０後端付近での急激な曲げ等が防止されている。
【００１７】
光ファイバ４３としては、特に限定はなく、例えば単心または多心の光ファイバ心線、この光ファイバ心線をチューブに収納した光ファイバコードなどが採用可能である。前記光ファイバ心線や前記光ファイバコードの場合、該光ファイバ心線等の先端の被覆を除去して露出させた裸光ファイバを、フェルール４１の光ファイバ穴４１ｂに挿入して、突き合わせ接続可能に成端される。
【００１８】
フェルール４１の接合端面４１ａにおいて、光ファイバ穴４１ｂが開口している領域の両側には、ガイドピン穴４１ｃが設けられている。フェルール４１同士は、ガイドピン穴４１ｃに挿入されて接合端面４１ａから突出するように設けられるガイドピン４５（突出部材）を介して、周知のガイドピン嵌合方式の位置決め機構によって高精度に位置決めして、接合端面４１ａ同士を突き合わせ接合して接続されるようになっており、これにより、各フェルール４１に成端されている光ファイバ４３同士が光接続されるようになっている。
【００１９】
アダプタ５０は、概略スリーブ状に形成されており、対向する両側に形成されるコネクタ挿入口５１から光コネクタ４０を挿入することにより、アダプタ５０の内部に形成されたコネクタ収容穴５２に収容することができるようになっている。
【００２０】
光コネクタ４０のハウジング４２の幅方向両側の側面には、アダプタ５０の内壁５０ａに沿い、コネクタ挿入口５１に向かって延出形成された弾性爪である係合爪５３と、係合可能な係合凹所４６が設けられている。また、光コネクタ４０のハウジング４２の厚さ方向の一方の面には、アダプタ５０の内壁５０ａに沿って、コネクタ挿入口５１から挿入方向（図６（ａ）における左右方向）の中ほどまで凹設されたキー溝５４と嵌合可能なキー４７が突設されている。
また、ハウジング４２の外周には、係合爪５３と係合凹所４６とを係合したときに、アダプタ５０の内壁５０ａと係合爪５３との間に形成される隙間５５に進入して係合爪５３を外側から押さえ、係合凹所４６との係合の離脱を防止するためのカップリング４８が装着されている。
【００２１】
光コネクタ４０は、コネクタ挿入口５１から挿入されると、係合凹所４６と係合爪５３との係合およびキー４７とキー溝５４との嵌合により、挿入方向からずれた方向への変位を規制されつつ、コネクタ収容穴５２に収容される。
両方の光コネクタ４０をアダプタ５０に挿入すると、アダプタ５０内でフェルール４１同士が突き合わされ、これにより、各フェルール４１に成端されている光ファイバ４３同士が光接続されるようになっている。
【００２２】
上記コネクタ４０の接合端面４１ａの清掃に適用できる本実施の形態の清掃工具１は、内部に清掃部材２が収容された概略ケース状の工具本体１０と、この工具本体１０から突出して設けられ、アダプタ５０のコネクタ収容穴５２に挿入可能に形成された挿入部２０と、清掃部材２を運動させる駆動機構３とを備えている。
【００２３】
工具本体１０は、プラスチック等からなる二つ割り構造になっており、第１および第２のケース半体１１、１２を向かい合わせ、第１のケース半体１１の内側に突出して形成された嵌合ピン１３と、第２のケース半体１１の内側に突設されたボス１４ａに設けられた嵌合穴１４とを嵌合させることにより、一体化されるようになっている。
【００２４】
工具本体１０は、挿入部２０に向かって先細り形状となっており、挿入部２０と接する位置にストッパ１５を有している。このストッパ１５は、挿入部２０をアダプタ５０のコネクタ収容穴５２に挿入したときに、該ストッパ１５がアダプタ５０のコネクタ挿入口５１の周縁部５１ａに当接することにより、挿入部２０のコネクタ収容穴５２への進入深さが深くなりすぎるのを防ぐためのものである。
【００２５】
清掃部材２はここではテープであり、このテープ２としては、特に限定されるものではなく、公知の適当な清浄布をテープ状に加工したものを採用することができ、例えば、ポリエステルやナイロンなどからなる極細の繊維で織られたものなどが例示される。
テープ２の幅は、光コネクタ４０における接合端面４１ａに露出するすべての光ファイバの端面とその周囲を一度に拭ける程度となっている。
図６（ｂ）に示すように、挿入部２０内に収容されたテープ２は、挿入部２０の内壁により幅方向の変位が規制されており、テープ２の横ズレが防止される。
【００２６】
ケース半体１１、１２の収納空間３５には、駆動機構３としてテープ移動機構が設けられている。
このテープ移動機構３は、テープ２を巻装した供給リール３０と、使用後のテープ２を巻き取って回収する巻取リール３１と、テープ２を操作する操作ダイヤル３４を備えている。
第１のケース半体１１の内側（収納空間３５に臨んだ側）の面には、供給リール３０が回転可能に装着された供給リール支持軸３２と、巻取リール３１が回転可能に装着された巻取リール支持軸３３が設けられている。
【００２７】
巻取リール支持軸３３の外周には、巻取リール３１と同心となるように、操作ダイヤル３４が装着されている。
この操作ダイヤル３４は、第１のケース半体１１の側面に設けられた窓１１ａから、一部、工具本体１０の外に露出されるようになっている。操作ダイヤル３４を手などで操作して所定の方向に回転させることにより、巻取リール３１が回転してテープ２を巻き取るとともに、供給リール３０から未使用のテープ２が繰り出されるようになっている。上記窓１１ａは、工具本体１０の側面に開口しているので、操作ダイヤル３４は、清掃工具１を片手で持ったときでも、清掃工具１を持った側の手の指で容易に操作できる。
【００２８】
操作ダイヤル３４の半径は、巻取リール３１の半径より大きくなっている。その結果、テープ２が巻取リール３１に巻き取られる長さは、操作ダイヤル３４の操作量（該操作ダイヤル３４の外周に沿った変位量）より、上記半径比の分だけ小さくなる。このため、テープ２の微小な変位が容易に達成される。
【００２９】
供給リール３０と巻取リール３１との間では、テープ２は、ピン状のテープガイド３６に沿って、両ケース半体１１、１２の間に形成された収納空間３５内に張り回されている。そして、その途中で、挿入部２０内に収容された後述のヘッド部材２３に巻き掛けられている。
【００３０】
挿入部２０は工具本体１０と同じく二つ割り構造となっていて、それぞれのケース半体１１、１２と一体に形成された挿入部半体２０ａ、２０ｂを、ケース半体１１、１２の一体化に伴って一体化することにより形成されるようになっている。
挿入部２０の外面の幅方向両側には、当該挿入部２０をアダプタ５０に挿入した際に、アダプタ５０の係合爪５３と係合可能に形成された係合凹所２１と、光コネクタ４０の接合端面４１ａから突出したガイドピン４５との干渉を避けるように形成された凹部２２とが形成されている。
【００３１】
係合凹所２１の前縁部２１ａ（挿入部２０先端に近い側、図１（ａ）、（ｂ）における左側の縁部）は、斜面となっており、係合凹所２１にアダプタ５０の係合爪５３が係合された状態で、挿入部２０を抜去方向（図１（ｂ）における右向き）に引き抜いたときに、係合爪５３は前縁部２１ａを乗り越えて比較的小さな力で係合凹所２１から離脱されるようになっている。
【００３２】
挿入部２０内には、テープ２が巻き掛けられるヘッド部材２３が収容されている。ヘッド部材２３は、図５に示す平面視で概略、挿入部２０の挿入方向に細長い三角形ないし台形状となっており、その挿入方向先端側（図５の左側）が当接面２４となっている。
ヘッド部材２３は、両挿入部半体２０ａ、２０ｂの間に挟持される支軸２５によって、当接面２４の挿入部２０の挿入方向に対する向きが変えられるように、当該支軸２５を中心とした上下方向の回転が可能なように支持されている。
【００３３】
ヘッド部材２３は、先端の当接面２４側が、挿入部２０内に収容された側よりも厚さ方向の寸法が大きくなっている。これにより、ヘッド部材２３の当接面２４が光コネクタ４０の接合端面４１ａと当接するために充分な寸法を確保するとともに、ヘッド部材２３が支軸２５を中心として回転した際に、テープ２が挿入部２０の内壁に押し付けられてしまうことが抑制されるようになっている。
【００３４】
挿入部２０の先端には、開口部２６が形成されている。この開口部２６からは、ヘッド部材２３の当接面２４と、この当接面２４に沿って巻き掛けられたテープ２とが露出されるようになっている。
なお、特に図示していないが、開口部２６から露出されたヘッド部材２３およびテープ２を保護するためのキャップやカバーなどを挿入部２０の先端に取り付けて、清掃工具１を使用しないときに上記テープ２等を保護できるようにしてもよいことは勿論である。
【００３５】
この清掃工具１の使用方法の一例を説明する。
清掃工具１の挿入部２０をアダプタ５０のコネクタ挿入口５１から挿入すると、挿入部２０は、外面がアダプタ５０の内壁５０ａにより位置決めされながらコネクタ収容穴５２に進入する。ストッパ１５がコネクタ挿入口５１の周縁部５１ａにぶつかるところまで挿入部２０を押し込むと、挿入部２０の係合凹所２１がアダプタ５０の係合爪５３と係合することにより、清掃部材２は、接合端面４１ａの適切な位置（ここでは、光ファイバ穴４１ｂとその周辺）に位置決めされて当接させられる。
【００３６】
ヘッド部材２３は、その当接面２４が光コネクタ４０の接合端面４１ａと当接したときの反作用により、支軸２５を中心として回転するので、接合端面４１ａが挿入部２０の挿入方向に対して傾斜していたとしても、当接面２４をぴったり合わせることができる。
光コネクタ４０の接合端面４１ａにガイドピン４５が突出していた場合でも、ガイドピン４５は、挿入部２０に設けられた凹部２２に収容されるので、挿入部２０は、ガイドピン４５と干渉することなく、コネクタ収容穴５２内に収容することができる。この際、仕切り２２ａにより、テープ２とガイドピン４５との干渉も防がれる。
【００３７】
操作ダイヤル３４を所定量回転させると、巻取リール３１の回転と連動してテープ２が運動し、このテープ２により接合端面４１ａが拭かれるので、接合端面４１ａに付着しているゴミや埃、油分などの汚れが、テープ２により確実に拭き取られる。
【００３８】
挿入部２０は、清掃中も係合凹所２１に係合した係合爪５３の弾性力により、幅方向の変位を抑制されているので、清掃部材２の接合端面４１ａに対する当接位置のずれが抑制される、また、挿入部２０を、ごく軽い力で、アダプタ５０内に支持することができ、作業性がよい。
ガイドピン４５は、仕切り２２ａにより清掃部材２から離隔された凹部２２に収容されているので、清掃部材２とガイドピン４５との干渉も防止される。
【００３９】
拭き取られた汚れは、テープ２に付着して巻取リール３１に巻き取られる方向に移動するので、使用後のテープ２はもはや挿入部２０の開口部２６から露出されることはなく、汚れが接合端面４１ａに再び付着するおそれがない。
従って、接合端面４１ａを極めて清浄に清掃することができる。
清掃後、清掃工具１を挿入したときと反対の方向に引くと、係合凹所２１の前縁部２１ａにより、アダプタ５０の係合爪５３が隙間５５の方向に押し曲げられるので、係合爪５３が係合凹所２１から離脱してその係合が解除され、挿入部２０を容易に引き抜くことができる。
【００４０】
以上、本発明を好適な実施の形態に基づいて説明してきたが、本発明はこの実施の形態のみに限定されるものではなく本発明の要旨を逸脱しない範囲で種々の改変が可能である。
例えば、光コネクタ清掃工具の具体的形状は、前記実施の形態に限定されず、適用対象の光コネクタの形状に応じて適宜変更可能である。
他の形状を有する光コネクタの清掃に適用した例を、図８、図９を参照して、説明する。
【００４１】
図８において、符号６０は、いわゆるＭＴ−ＲＪ形光コネクタと呼ばれるものであり、光コネクタアダプタ７０（アダプタ）の両側から光コネクタ６０を挿入すると、各光コネクタ６０のフェルール６１同士が突き合わされ、これらフェルール６１に内装固定されている光ファイバ同士が光接続される。フェルール６１としては、例えば、上述したＭＴ形光コネクタを採用することができる。この場合、一方の光コネクタ６０のフェルール６１の接合端面６１ａの両側に穿設されたガイドピン穴６１ｃに、他方の光コネクタ６０の接合端面６１ａから突出して設けられたガイドピン（図示せず）を挿入することで、フェルール６１同士を高精度に位置決めして突き合わせ接合することができる。
【００４２】
アダプタ７０に挿入された光コネクタ６０は、ハウジング６２からアダプタ７０への挿入方向前方へ向けて突設されているラッチ６３先端の係合爪６３ａがアダプタ７０の係合穴７２に係脱可能に係合されることで引き抜きが規制される。また、アダプタ７０外側に露出しているラッチ６３のレバー部６３ｂを押し込み操作して、アダプタ７０の係合穴７２からラッチ６３を離脱させて係合を解除すると、光コネクタ６０をアダプタ７０から抜去できるようになっている。
【００４３】
図９は、上記アダプタ７０に挿入された光コネクタ６０の接合端面６１ａを清掃するために使用可能な清掃工具１Ｂの例を示す図である。
清掃工具１Ｂの構成および作用効果は、上述の第１の実施の形態と同余であるため、図中、同様の構成には同一の符号を付し、重複する説明を省略する。
【００４４】
この清掃工具１Ｂは、工具本体１０と、この工具本体１０から突出して設けられた挿入部２０とを備えている。工具本体１０は、上記第１の実施の形態の清掃工具１におけるものと同様の構成となっており、図示および重複する説明を省略する。
【００４５】
挿入部２０は、清掃部材２（テープ）が巻きかけられた当接面２４を有するヘッド部材２３と、挿入部２０の先端に開口され、ヘッド部材２３を露出させる開口部２６を有している。挿入部２０の外形形状は、アダプタ７０のコネクタ収容穴７１の寸法より若干小さい程度になっている。
挿入部２０の両側面には、挿入部２０と上記光コネクタ６０のガイドピン４５との干渉を避けるための凹部２２が設けられている。また、凹部２２と開口部２６とは仕切り２２ａによって離隔されている。
【００４６】
挿入部２０の上面には、アダプタ７０の係合穴７２と係合可能な係合突起２７が設けられている。この係合突起２７は、挿入部２０をアダプタ７０に押し込むことにより、アダプタ７０の内壁７０ａに当接して弾性変形してコネクタ収容穴７１内に収まり、さらに係合穴７２において、アダプタ７０の内壁７０ａからの押圧力を失い、係合穴７２と係合するようになっている。かつ、この係合突起２７は、挿入部２０をアダプタ７０から抜去される方向に引くことにより、弾性変形して、係合穴７２から外せるようになっている。
【００４７】
このような清掃工具１Ｂを用いて上記アダプタ７０に挿入された光コネクタ６０の接合端面６１ａを清掃する手順は、上述の第１実施の形態の清掃工具１と同様であり、清掃工具１Ｂの挿入部２０をアダプタ７０のコネクタ収容穴７１に挿入し、挿入部２０の係合突起２７を、アダプタ７０の係合穴７２に係合させる。これにより、前記挿入部２０の突出先端に位置したテープ２を、前記接合端面６１ａに対して位置決めして当接させることができるとともに、テープ２をコネクタ収容穴７１に接触させてしまうおそれもない。
【００４８】
他の改変例としては、コネクタハウジングとして、光コネクタレセプタクルを採用することもできる。図１０に示すように、この例の光コネクタレセプタクル９０は、光ファイバ９３の先端に取付けられたフェルール９２を、ハウジング９１に組み込んで組み立てられたものである。
この光コネクタレセプタクル９０のコネクタ収容穴９４に挿入部２０を挿入することにより、清掃部材２をフェルール９２の接合端面９２ａに対して位置決めして当接させることができるようになっている光コネクタ清掃工具１Ｃも採用可能である。この構成では、フェルール９２自体が光コネクタとして機能している。
【００４９】
【発明の効果】
以上説明したように、本発明の光コネクタ清掃工具は、工具本体と、この工具本体から突出して設けられ、前記コネクタハウジングに挿入可能に形成されている挿入部とを備え、前記挿入部をコネクタハウジングに挿入することにより、前記挿入部の前記工具本体からの突出先端に位置させておかれた清掃部材を、前記接合端面に対して位置決めして当接させることができるようになっているものであるので、挿入部をコネクタハウジングに挿入するだけで、清掃部材をコネクタハウジング内の光コネクタの接合端面に正しく当接することができるうえに、清掃部材をコネクタハウジング内に挿入する際に、清掃部材のコネクタハウジング内壁への接触が防止され、当該清掃部材の汚染を抑制することができる。
さらに、清掃部材を運動させて拭き取り清掃する際にも、清掃部材の接合端面に対する当接位置を適切な位置に維持することが容易になるので、接合端面の良好な清掃状態を容易かつ確実に得ることができる。清掃工具を手で支持しても、手ブレによる、清掃部材の当接位置のズレが起こりにくい。また、挿入部を、ごく軽い力でコネクタハウジング内に支持することができるので、作業性がよい。
【００５０】
前記清掃部材としてテープを用い、テープを巻装した供給リールと、使用後のテープを巻き取って回収する巻取リールとを、工具本体に回転可能に装着するとともに、前記挿入部に、先端に前記接合端面に対する当接面積を確保するための当接面を有するヘッド部材を設けるようにすれば、光コネクタの接合端面に対して、常に清浄な清掃部材を当接させるようにすることができ、効率よく作業を行うことができる。
【００５１】
さらに、前記ヘッド部材が、前記当接面の前記挿入部の挿入方向に対する向きが変えられるようになっていれば、光コネクタの接合端面の向きが挿入部の挿入方向からずれていても、ヘッド部材の当接面の向きを光コネクタの接合端面の向きに合わせることができるので、清掃の能率が向上する。
【００５２】
前記挿入部は、前記コネクタハウジングに挿入された際に、前記接合端面から突出する突出部材（例えば後述するＭＰＯ形光コネクタにおけるガイドピン）との干渉を避けるための凹部を有することが好ましい。これにより、光コネクタの接合端面に突出部材があっても、接合端面に清掃部材を当接させて清掃することができる。
【図面の簡単な説明】
【図１】本実施の形態の光コネクタ清掃工具（以下、清掃工具という）を示す（ａ）斜視図および（ｂ）側面図である。
【図２】この清掃工具の工具本体を半割にした状態を示す斜視図である。
【図３】図１に示す清掃工具の先端が、光コネクタが収納されたコネクタハウジングのコネクタ挿入穴に挿入される状態を示す分解斜視図である。
【図４】図１に示す清掃工具の先端を、光コネクタが収納されたコネクタハウジングのコネクタ挿入穴に挿入した状態を示す斜視図である。
【図５】図１に示す清掃工具の先端を、光コネクタが収納されたコネクタハウジングのコネクタ挿入穴に挿入した状態を示す断面図である。
【図６】清掃工具の先端付近を示す（ａ）縦断面図および（ｂ）横断面図である。
【図７】光コネクタの接合端面を示す正面図である。
【図８】改変例の光コネクタ清掃工具が適用される光コネクタおよびコネクタハウジングの（ａ）斜視図および（ｂ）これらを光接続した状態を示す断面図である。
【図９】改変例の光コネクタ清掃工具を示す（ａ）斜視図および（ｂ）これをコネクタハウジングに当接された状態を示す断面図である。
【図１０】さらに光コネクタ清掃工具を示す図であって、光コネクタレセプタクル内の光コネクタに光コネクタ清掃工具を挿入する状態を示す断面図である。
【符号の説明】
１、１Ｂ、１Ｃ…光コネクタ清掃工具（清掃工具）、２…清掃部材（テープ）、１０…工具本体、２０…挿入部、２２…凹部、２３…ヘッド部材、２４…当接面、３０…供給リール、３１…巻取リール、４０…光コネクタ（プラグ）、４１ａ…接合端面、４５…突出部材（ガイドピン）、５０…コネクタハウジング（アダプタ）、６０…光コネクタ（プラグ）、６１ａ…接合端面、７０…コネクタハウジング（アダプタ）、９０…コネクタハウジング（レセプタクル）、９２…光コネクタ（フェルール）、９２ａ…接合端面。
【図１】
2004151401.tif 000003
【図２】
2004151401.tif 000004
【図３】
2004151401.tif 000005
【図４】
2004151401.tif 000006
【図５】
2004151401.tif 000007
【図６】
2004151401.tif 000008
【図７】
2004151401.tif 000009
【図８】
2004151401.tif 000010
【図９】
2004151401.tif 000011
【図１０】
2004151401.tif 000012